(57)【要約】【課題】ユーザ間でネットワークを介して画像データの公開を行う際に、公開者と被写体との双方が合意した公開範囲を簡易に設定する。【解決手段】情報処理装置は、画像に撮影されている被写体に関連付けられた当該画像の公開許可範囲を示す第１の情報と、前記画像の公開を要求するユーザによる前記画像の公開希望範囲を示す第２の情報とをそれぞれ取得する。そして、情報処理装置は、取得した第１の情報と第２の情報とに基づいて、前記画像の公開対象となる公開範囲を判定する。【選択図】      図２
2016066121.tif 000002
【特許請求の範囲】
【請求項１】
画像に撮影されている被写体に関連付けられた当該画像の公開許可範囲を示す第１の情報を取得する第１の取得手段と、
前記画像の公開を要求するユーザによる前記画像の公開希望範囲を示す第２の情報を取得する第２の取得手段と、
前記第１の取得手段で取得した前記第１の情報と、前記第２の取得手段で取得した前記第２の情報とに基づいて、前記画像の公開対象となる公開範囲を判定する判定手段と、
を有することを特徴とする情報処理装置。
【請求項２】
前記判定手段は、前記公開許可範囲と前記公開希望範囲との共通範囲を前記公開範囲として判定することを特徴とする請求項１に記載の情報処理装置。
【請求項３】
前記判定手段による判定結果をユーザに通知する第１の通知手段を更に有することを特徴とする請求項１または２に記載の情報処理装置。
【請求項４】
前記公開許可範囲に含まれ、且つ、前記公開希望範囲に含まれない範囲に属する人物についてユーザに通知する第２の通知手段を更に有することを特徴とする請求項１から３のいずれか１項に記載の情報処理装置。
【請求項５】
前記公開許可範囲に含まれず、且つ、前記公開希望範囲に含まれる範囲に属する人物についてユーザに通知する第３の通知手段を更に有することを特徴とする請求項１から４のいずれか１項に記載の情報処理装置。
【請求項６】
前記画像に撮影されている被写体のうち、前記公開希望範囲に含まれない範囲を前記公開許可範囲に含めている人物についてユーザに通知する第４の通知手段を更に有することを特徴とする請求項１から５のいずれか１項に記載の情報処理装置。
【請求項７】
前記公開希望範囲に含まれない前記被写体について通知する第５の通知手段を更に有することを特徴とする請求項１から６のいずれか１項に記載の情報処理装置。
【請求項８】
前記ユーザが入力した前記公開範囲を調整するための調整指示情報を取得する第３の取得手段と、
前記第３の取得手段で取得した前記調整指示情報に基づいて前記公開範囲を調整する調整手段と、
を更に有することを特徴とする請求項１から７のいずれか１項に記載の情報処理装置。
【請求項９】
前記第１の取得手段は、前記画像に複数の被写体が撮影されている場合、該複数の被写体の各々について前記公開許可範囲を取得することを特徴とする請求項１から８のいずれか１項に記載の情報処理装置。
【請求項１０】
撮影素子からの画像データを表示部に表示させるライブビュー機能を有する撮像装置であって、
前記ライブビュー機能において表示される画像に撮影されている被写体を認識する認識手段と、
前記認識手段で認識した前記被写体に関連付けられた当該画像の公開許可範囲を示す第１の情報を取得する第１の取得手段と、
前記画像の公開を要求するユーザによる前記画像の公開希望範囲を示す第２の情報を取得する第２の取得手段と、
前記第１の取得手段で取得した前記第１の情報と、前記第２の取得手段で取得した前記第２の情報とに基づいて、前記画像の公開対象となる公開範囲を判定する判定手段と、
前記ライブビュー機能において表示される画像に、前記判定手段による判定結果を重畳して前記表示部に表示させる表示制御手段と、
を有することを特徴とする撮像装置。
【請求項１１】
前記ライブビュー機能は、前記撮影素子からの画像データをリアルタイムに前記表示部に表示させることを特徴とする請求項１０に記載の撮像装置。
【請求項１２】
画像に撮影されている被写体に関連付けられた当該画像の公開許可範囲を示す第１の情報を取得するステップと、
前記画像の公開を要求するユーザによる前記画像の公開希望範囲を示す第２の情報を取得するステップと、
取得した前記第１の情報と前記第２の情報とに基づいて、前記画像の公開対象となる公開範囲を判定するステップと、
を含むことを特徴とする情報処理方法。
【請求項１３】
ネットワーク上のサーバ装置により画像を公開する画像公開システムであって、
請求項１から９のいずれか１項に記載の情報処理装置と前記サーバ装置とが通信可能に接続されており、
前記情報処理装置は、前記判定手段で判定した前記公開範囲の情報を前記サーバ装置へ送信する送信手段を更に有し、
前記サーバ装置は、
前記送信手段から送信された前記公開範囲の情報を受信する受信手段と、
前記受信手段で受信した前記公開範囲の情報に対応する公開範囲に前記画像を公開する公開手段と、
を備えることを特徴とする画像公開システム。
【請求項１４】
前記情報処理装置は、前記ユーザが操作する端末装置であることを特徴とする請求項１３に記載の画像公開システム。
【請求項１５】
前記情報処理装置と通信可能に接続され、ユーザが操作する情報機器を更に有し、
前記情報機器は、前記情報処理装置に対して前記公開範囲を要求する要求手段を有し、
前記情報処理装置は、前記要求手段による前記要求に応じて、前記判定手段による前記公開範囲の判定を行うことを特徴とする請求項１３または１４に記載の画像公開システム。
【請求項１６】
コンピュータを、請求項１から９のいずれか１項に記載の情報処理装置の各手段として機能させるためのプログラム。
【請求項１７】
コンピュータを、請求項１０または１１に記載の撮像装置の各手段として機能させるためのプログラム。
【発明の詳細な説明】
【技術分野】
【０００１】
本発明は、情報処理装置、撮像装置及び画像公開システムに関し、特に、複数のユーザで画像を共有するために用いて好適なものである。
【背景技術】
【０００２】
近年、ネットワークに接続するカメラの増加とともに、カメラで撮影した画像をネットワーク経由で画像共有サイト等を介してユーザ間で公開、共有交換するケースが増加している。しかしながら、公開に際しては、被写体の了承がないまま写真を公開したり、公開可否の判断が画像公開ユーザの常識／モラルに依存したりするなど、問題が生じている。プライバシー保護の観点からは、被写体の公開可否の意向を反映しなければならない。
【０００３】
そこで、被写体の公開可否の意向を反映した画像公開を目的としたシステムとして、特許文献１に記載の技術がある。この技術は、画像の公開に際し、公開を要求するユーザ（公開ユーザ）から撮影した画像毎に被写体に対して公開の可否を問合せ、その意向に応じて当該被写体のプライバシーを保護するように画像処理（モザイク処理等）するものである。
【先行技術文献】
【特許文献】
【０００４】
【特許文献１】特開２００７−１８３８６号公報
【発明の概要】
【発明が解決しようとする課題】
【０００５】
上記特許文献１に記載の技術にあっては、単に、公開ユーザから被写体に対して公開対象の画像を提示し、当該画像についての公開可否意向を問い合わせているだけである。このとき、被写体は公開ユーザが公開を希望する範囲（公開希望範囲）を考慮した返答ができない。そのため、被写体が意図しない人物に画像が公開されるおそれがある。
また、公開ユーザは、被写体から画像毎の公開可否（ＯＫ／ＮＧ）しか得られず、被写体が公開を許可する範囲（公開許可範囲）を知ることができない。すなわち、公開ユーザは、画像公開がＮＧである理由（人物ＸがいるからＮＧ等）を知ることができない。そのため、被写体の公開ＮＧの理由によっては、公開ユーザが公開希望範囲の変更や公開画像の編集をしてもよいと考えるケースであっても、これらの調整を行わずに画像非公開となってしまう。
【０００６】
このように、上記特許文献１に記載の技術にあっては、公開ユーザの公開希望範囲と被写体の公開許可範囲の双方を考慮した公開可否判定を行わないため、適切な公開範囲を設定することができない。また、公開範囲設定の妥協点を探ることができず、多くの画像を公開する機会を逃してしまう。
そこで、本発明は、画像を共有する際に、ユーザの公開希望範囲と被写体に関連付けられた公開許可範囲に応じた公開範囲を簡易に設定することを目的とする。
【課題を解決するための手段】
【０００７】
上記課題を解決するために、本発明に係る情報処理装置の一態様は、画像に撮影されている被写体に関連付けられた当該画像の公開許可範囲を示す第１の情報を取得する第１の取得手段と、前記画像の公開を要求するユーザによる前記画像の公開希望範囲を示す第２の情報を取得する第２の取得手段と、前記第１の取得手段で取得した前記第１の情報と、前記第２の取得手段で取得した前記第２の情報とに基づいて、前記画像の公開対象となる公開範囲を判定する判定手段と、を有する。
【０００８】
このように、公開許可範囲と公開希望範囲とを用いるので、公開許可範囲と公開希望範囲との共通範囲や差分を判定することができる。被写体、画像の公開を要求するユーザのそれぞれが公開してもよい（公開したい）と思っている公開対象候補のグループ同士を照合することができるので、撮影対象者と公開要求者の双方が合意した公開範囲を判定することができる。
【発明の効果】
【０００９】
本発明によれば、画像を共有する際に、ユーザの公開希望範囲と被写体に関連付けられた公開許可範囲に応じた公開範囲を簡易に設定することができる。
【図面の簡単な説明】
【００１０】
【図１】第一の実施形態における画像公開システムの一例を示すシステム構成図である。
【図２】第一の実施形態における情報公開装置の機能ブロック図である。
【図３】各装置間のメッセージのやり取りを示すシーケンス図である。
【図４】撮影対象者認識の例を示す図である。
【図５】情報公開処理が実行する情報公開処理手順を示すフローチャートである。
【図６】公開ユーザの公開希望情報の一例である。
【図７】撮影対象者の公開許可情報の一例である。
【図８】公開可否情報の一例である。
【図９】調整処理手順を示すフローチャートである。
【図１０】公開可否判定結果を示す一覧表示画面の一例である。
【図１１】公開可否判定結果を示す詳細表示画面の一例である。
【図１２】公開希望範囲変更後の表示例である。
【図１３】撮影対象者変更後の表示例である。
【図１４】公開希望範囲拡張後の表示例である。
【図１５】公開希望情報が設定されていない場合の表示例である。
【図１６】公開範囲の自動設定後の表示例である。
【図１７】公開可能範囲が無い場合の表示例である。
【図１８】撮像装置のライブビューで判定結果を表示した例である。
【図１９】第二の実施形態における画像公開システムの一例を示すシステム構成図である。
【図２０】第二の実施形態における情報公開装置のブロック構成図である。
【図２１】情報処理装置のハードウェア構成の一例を示す図である。
【発明を実施するための形態】
【００１１】
以下、添付図面を参照して、本発明を実施するための好適な形態について詳細に説明する。
なお、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１２】
（第一の実施形態）
図１は、第一の実施形態における画像公開システムの一例を示すシステム構成図である。
画像公開システム１０は、サーバ装置２０と、情報公開装置（情報処理装置）３０と、端末装置４０Ａ〜４０Ｃとを備える。サーバ装置２０、情報公開装置３０、端末装置４０Ａ〜４０Ｃは、ネットワーク５０によって接続されている。ここで、ネットワーク５０は、例えば、インターネット、ＷＡＮ（Wide Area Network）、ＬＡＮ（Local Area Network）、若しくはこれらの複合であっても実現できる。
【００１３】
サーバ装置２０は、例えばオンラインフォトアルバムやＳＮＳ（Social Networking Service）等の画像公開サービスや交流サービスを提供する。このサーバ装置２０は、当該画像公開サービスを利用するサービス利用者が閲覧可能な画像を保管すると共に、サービス利用者が各々設定した公開許可範囲を示す情報（公開許可情報）を登録、保持している。ここで、公開許可範囲とは、被写体に関連付けられた画像の公開許可範囲であり、例えば、被写体となり得るサービス利用者が、自身が撮影された画像の公開を許可する範囲である。公開許可範囲は、ユーザ毎、グループ（友達、家族、会社の同僚等）毎に設定可能である。
【００１４】
情報公開装置３０は、画像の公開を要求する公開要求者（公開ユーザ）が使用する端末装置であり、撮影画像の公開可否判定とサーバ装置２０に対する撮影画像の公開要求とを行う。公開要求者（公開ユーザ）とは、例えば、画像の撮影者や、画像の所有者などである。
情報公開装置３０のハードウェアは、ＣＰＵ、ＲＯＭ、ＲＡＭ、ＨＤＤ、及び各種のインターフェースを備えたコンピュータシステムにより実現される。本実施形態では、情報公開装置３０はパーソナルコンピュータ（ＰＣ）とする。なお、情報公開装置３０は、通信機能を有する情報機器であればよく、スマートフォンやタブレット型ＰＣ（以下、単に「タブレット」という。）であってもよい。
【００１５】
また、情報公開装置３０は、公開ユーザが設定した公開希望範囲を示す情報（公開機能情報）を登録、保持している。ここで、公開希望範囲とは、公開ユーザが画像の公開を希望する範囲であり、ユーザ毎、グループ（友達、家族、会社の同僚等）毎に設定可能である。
端末装置４０Ａ〜４０Ｃは、例えば、それぞれスマートフォン、タブレット、ＰＣであり、上記の画像公開サービスのサービス利用者が使用する。これら端末装置４０Ａ〜４０Ｃでは、サーバ装置２０によって公開された画像の閲覧（共有）が可能である。また、これら端末装置４０Ａ〜４０Ｃは、サービス利用者が公開許可範囲の登録する際に使用される。なお、端末装置４０Ａ〜４０Ｃは、通信機能を有する情報機器であればよい。
図２は、情報公開装置３０の機能ブロック図である。
情報公開装置３０は、撮影対象認識部３１と、公開許可情報取得部３２と、公開希望情報取得部３３と、公開範囲判定部３４と、表示制御部３５と、入力情報取得部３６と、公開部３７と、を備える。
【００１６】
撮影対象認識部３１は、撮影画像データを取得し、当該撮影画像データから被写体（撮影対象ユーザ）の認識を行う。例えば、撮影対象認識部３１は、ＰＣに接続されたデジタルカメラ等から撮影画像データを取得し、予め登録しておいたサービス利用者の顔画像等のユーザ情報と照合して人物認識を行う。
なお、当該ユーザ情報は、サーバ装置２０から取得するようにしてもよい。また、撮影対象認識部３１は、外部装置（例えば、デジタルカメラ等）で人物認識処理した結果（撮影対象ユーザ情報）を当該外部装置から取得することで、撮影対象ユーザを認識するようにしてもよいし、公開ユーザが入力した撮影対象ユーザ情報を取得するようにしてもよい。
【００１７】
公開許可情報取得部３２は、撮影対象認識部３１で認識した撮影対象ユーザ毎の公開許可情報を、サーバ装置２０から取得する。
公開希望情報取得部３３は、公開ユーザから公開希望情報の入力を受け付け、記憶する。なお、公開希望情報取得部３３は、公開ユーザが予め設定し情報公開装置３０内のメモリ等に記憶しておいた公開希望情報を、当該メモリから取得するようにしてもよい。
公開範囲判定部３４は、公開許可情報取得部３２で取得した公開許可情報と、公開希望情報取得部３３で取得した公開希望情報とを用いて、公開範囲を判定する。ここで、公開範囲とは、画像を公開する（画像の閲覧が可能となる）範囲であり、ユーザ毎、グループ毎に設定可能である。公開範囲判定部３４は、公開範囲の判定結果を表示制御部３５に出力する。
【００１８】
表示制御部３５は、公開範囲判定部３４の判定結果を情報公開装置３０が有するディスプレイに表示するべく表示制御する。なお、情報公開装置３０とは異なる外部のディスプレイに表示するように制御してもよい。
入力情報取得部３６は、表示制御部３５でディスプレイに表示された判定結果を受けて公開ユーザが入力した公開範囲を調整するための情報（公開希望範囲の調整、被写体の調整）を取得し、これを公開範囲判定部３４の調整部３４ａに受け渡す。上記の調整入力は、例えば、表示制御部３５によってタッチパネルに表示された画面に対してタッチペン等を用いて行われてもよいし、マウス等のポインティングデバイスを用いて行われてもよい。調整部３４ａは、入力情報取得部３６からの調整入力を受けたとき、当該調整入力に基づいて公開範囲を判定し直し、その結果を表示制御部３５に出力する。
【００１９】
また、入力情報取得部３６は、表示制御部３５で表示された判定結果を受けて公開ユーザが入力した公開意思を示す情報を取得し、これを公開範囲判定部３４に受け渡す。公開ユーザは、例えば、表示制御部３５によって画面表示された公開ボタンを押すことで公開意思を示し、入力情報取得部３６は、公開ユーザが公開ボタンを押したと判断したときに公開意思情報を入力したと判断する。このとき、公開範囲判定部３４は、公開部３７に当該公開意思情報と、最終的な公開範囲を示す情報とを出力する。
【００２０】
公開部３７は、上記公開意思情報を入力すると、公開範囲判定部３４が判定した最終的な公開範囲に対して画像を公開する。すなわち、公開範囲を示す情報を重畳した画像データをサーバ装置２０に送信する。
サーバ装置２０は、情報公開装置３０が送信した公開範囲を示す情報を重畳した画像データを受信する受信部を備え、受信した画像データを設定された公開範囲に対して画像公開サービスにより公開する。
【００２１】
図３は、公開ユーザであるユーザ０が使用する情報公開装置３０を中心に見た、本実施形態におけるメッセージやりとりのシーケンスである。
先ず、ステップＳ１０１において、サービス利用者であるユーザ1、ユーザ２、ユーザ３は、事前にそれぞれが使用するスマートフォン４０Ａ、タブレット４０Ｂ、ＰＣ４０Ｃを用いてサーバ装置２０に対して公開許可情報の登録設定を行う。
公開ユーザが公開しようとしている撮影画像を指定すると、情報公開装置３０は、ステップＳ１０２で、当該画像について撮影対象者の認識を行う。このとき、図４に示すように、撮影画像２００に対して、撮影対象者としてユーザ１、ユーザ２、ユーザ３が認識されたものとする。
【００２２】
この場合、情報公開装置３０は、公開ユーザ自身の公開希望情報と、撮影対象者すべて（ユーザ１〜３）の公開許可情報とを取得する。先ず、情報公開装置３０は、ステップＳ１０３で公開ユーザ自身の公開希望情報を取得する。次に、情報公開装置３０は、ステップＳ１０４でサーバ装置２０に対して撮影対象者（ユーザ１〜３）の公開許可情報の取得要求を送信し、それを受けてサーバ装置２０が送信した各撮影対象者の公開許可情報をステップＳ１０５で受信する。
【００２３】
すると、情報公開装置３０は、ステップＳ１０６で、取得した公開希望情報と公開許可情報を用いて公開希望範囲と公開許可範囲とを照合し、両範囲の共通範囲及び差分を求める。また、情報公開装置３０は、上記の照合結果を用いて、公開しようとしている撮影画像に対する公開可否判定（公開範囲判定）を行う。そして、情報公開装置３０は、ステップＳ１０７でその判定結果を画面表示し、公開ユーザに提示する。
【００２４】
情報公開装置３０は、ステップＳ１０８で、表示した判定結果に対する公開ユーザからの調整入力（公開範囲を調整するための入力）を受け、ステップＳ１０９で、その入力情報を用いて公開範囲の再判定を行う。このステップＳ１０８の調整処理と、ステップＳ１０９の公開範囲判定処理とは、公開範囲の調整が必要なくなるまで若しくは公開ユーザが公開意思を示すまで繰り返す。
情報公開装置３０は、公開ユーザの公開意思を受けると、撮影対象者（ユーザ１〜３）のうち最終的に公開対象候補となっている撮影対象者の公開許可情報を再取得する。すなわち、情報公開装置３０は、ステップＳ１１０でサーバ装置２０に対して公開対象候補となっている撮影対象者の公開許可情報の取得要求を送信し、それを受けてサーバ装置２０が送信した公開許可情報をステップＳ１１１で受信する。
【００２５】
そして、情報公開装置３０は、ステップＳ１１２で、再取得した公開許可情報を用いて、公開しようとしている撮影画像に対する公開可否を再判定する。
上記の調整処理中に撮影対象者が公開許可情報を変更していなければ、このステップＳ１１２の判定結果は上記ステップＳ１０９の判定結果と同じになる。そのため、この場合には、情報公開装置３０は、ステップＳ１１３で撮影画像を公開するべく当該撮影画像をサーバ装置２０へ送信する。
一方、調整処理中に撮影対象者が公開許可情報を変更しており、このステップＳ１１２の判定結果が上記ステップＳ１０９の判定結果と異なる場合には、公開範囲の再調整が必要となるため、情報公開装置３０は、再度判定結果を表示し、公開ユーザに調整入力を促す。
なお、上記ステップＳ１１０〜Ｓ１１２の処理は、省略することも可能である。
【００２６】
図５は、情報公開装置３０で実行する情報公開処理手順を示すフローチャートである。当該フローチャートは、後述するＲＯＭ１００２、ＲＡＭ１００３、もしくは外部メモリ１００４に格納されたプログラムをＣＰＵ１００１が読み出して実行することにより実現される。また、この情報公開処理は、例えば、公開ユーザが公開を要求する画像を指定したときに動作を開始し、当該画像の公開可否判定、公開範囲の調整及び画像の公開（公開要求）を行う処理である。
【００２７】
はじめに、情報公開装置３０は、公開ユーザの公開希望情報を取得する。ここでは、公開希望情報は、公開ユーザの入力操作により取得するものとする。なお、公開希望情報は、公開ユーザが予めサーバ装置２０に登録しておき、サーバ装置２０から取得するようにしてもよい。ここでは、公開ユーザがユーザ０であり、ユーザ０が図６に示す公開希望情報を設定した場合について説明する。
先ずステップＳ１で、情報公開装置３０は、公開ユーザの公開希望情報に含まれる公開希望関係情報を取得する。ここで、公開ユーザの公開希望関係情報とは、公開ユーザが希望する公開先ユーザやグループを示す情報であり、図５の公開希望関係情報列に示す情報である。
【００２８】
次にステップＳ２で、情報公開装置３０は、公開ユーザの公開希望情報に含まれる関係ユーザ情報を取得する。ここで、公開ユーザの関係ユーザ情報とは、公開ユーザと関係のあるユーザ（公開ユーザの友達など）を示す情報であり、図６の関係ユーザ情報列に示す情報である。
ステップＳ３では、情報公開装置３０は、公開ユーザの公開希望情報に含まれる関係グループ情報を取得する。ここで、公開ユーザの関係グループ情報とは、公開ユーザと関係のあるグループ（公開ユーザが属するグループなど）を示す情報であり、図６の関係グループ情報列に示す情報である。
ステップＳ４では、情報公開装置３０は、公開ユーザの公開希望情報（公開希望関係情報、関係ユーザ情報、関係グループ情報）の取得が成功したか否かを判定する。そして、公開ユーザの情報取得が失敗した場合にはステップＳ５に移行し、エラー画面を表示して処理を終了する。一方、公開ユーザの情報取得が成功している場合にはステップＳ６に移行する。
【００２９】
ステップＳ６では、情報公開装置３０は、公開ユーザが指定した画像から撮影対象ユーザの認識処理を行い、撮影対象ユーザが認識された場合にはステップＳ７に移行し、認識されなかった場合には後述するステップＳ１３に移行する。ここで、撮影対象ユーザが認識されなかった場合とは、例えば風景等、人物が被写体となっていない場合である。
ステップＳ７では、情報公開装置３０は、撮影対象ユーザすべてについて公開許可情報が取得したかを判断し、取得していない場合にはステップＳ８に移行し、取得した場合には後述するステップＳ１３に移行する。例えば、図４に示すように、撮影対象としてユーザ１、ユーザ２、ユーザ３が認識された場合、これらユーザ１〜３すべての公開許可情報が取得できているか否かを判定する。
ステップＳ８では、情報公開装置３０は、サーバ装置２０に対して公開許可情報取得要求を送信し、サーバ装置２０から撮影対象ユーザの公開許可情報に含まれる公開許可関係情報を取得する。ここで、撮影対象ユーザの公開許可関係情報とは、撮影対象ユーザが許可する公開先ユーザやグループを示す情報であり、図７の公開許可関係情報列に示す情報である。
【００３０】
次にステップＳ９で、情報公開装置３０は、サーバ装置２０に対して公開許可情報取得要求を送信し、サーバ装置２０から撮影対象ユーザの公開許可情報に含まれる関係ユーザ情報を取得する。ここで、撮影対象ユーザの関係ユーザ情報とは、撮影対象ユーザと関係のあるユーザ（撮影対象ユーザの友達など）を示す情報であり、図７の関係ユーザ情報列に示す情報である。
ステップＳ１０では、情報公開装置３０は、サーバ装置２０に対して公開許可情報取得要求を送信し、サーバ装置２０から撮影対象ユーザの公開許可情報に含まれる関係グループ情報を取得する。ここで、撮影対象ユーザの関係グループ情報とは、撮影対象ユーザと関係のあるグループ（撮影対象ユーザが属するグループなど）を示す情報であり、図７の関係グループ情報列に示す情報である。
【００３１】
ステップＳ１１では、情報公開装置３０は、撮影対象ユーザの公開許可情報（公開許可関係情報、関係ユーザ情報、関係グループ情報）の取得が成功したか否かを判定する。そして、撮影対象ユーザの情報取得が成功している場合には前記ステップＳ７に移行し、情報取得が失敗した場合にはステップＳ１２に移行する。
ステップＳ１２では、情報公開装置３０は、公開許可情報が取得できなかった撮影対象ユーザの公開許可関係情報にデフォルト値を設定し、前記ステップＳ７に移行する。ここで、公開許可関係情報のデフォルト値は、例えば「撮影対象」、即ち、撮影対象ユーザは撮影対象のみ公開を許可している状態とする。
【００３２】
ステップＳ１３では、情報公開装置３０は、公開ユーザの公開希望関係情報および撮影対象ユーザの公開許可関係情報に含まれるすべてのユーザとグループとを公開対象候補ユーザとして取得する。図６に示す公開希望関係情報と図７に示す公開許可関係情報とを取得している場合、公開対象候補ユーザとしては、図８の公開対象候補ユーザ列に示すように、公開ユーザであるユーザ０の他に、ユーザ１、ユーザ２、ユーザ３、ユーザ４、ユーザ５、グループ１、グループ２、グループ３が取得されることになる。
【００３３】
ステップＳ１４では、情報公開装置３０は、公開対象候補ユーザすべてについて公開可否判定が終了しているかを判断し、終了していない場合にはステップＳ１５に移行し、終了している場合には後述するステップＳ１９に移行する。
ステップＳ１５では、情報公開装置３０は、公開対象候補ユーザの関係情報を算出して記録する。公開対象候補ユーザの関係情報とは、公開ユーザ（ここでは、ユーザ０）や撮影対象ユーザ（ここでは、ユーザ１、ユーザ２、ユーザ３）から見た公開対象候補ユーザそれぞれに対する関係を示す情報であり、図８の関係情報列に示す情報である。
【００３４】
次にステップＳ１６では、情報公開装置３０は、公開対象候補ユーザの公開許可情報を算出して記録する。公開対象候補ユーザの公開許可情報とは、公開ユーザ（ここでは、ユーザ０）や撮影対象ユーザ（ここでは、ユーザ１、ユーザ２、ユーザ３）から見て、公開対象候補ユーザそれぞれに対して公開許可が有るか無いかを示す情報であり、図８の公開許可情報列に示す情報である。
ステップＳ１７では、情報公開装置３０は、公開対象候補ユーザの公開希望情報を算出して記録する。公開対象候補ユーザの公開希望情報とは、公開ユーザ（ここでは、ユーザ０）から見て、公開対象候補ユーザそれぞれに対して公開希望が有るか無いかを示す情報であり、図８の公開希望情報列に示す情報である。
【００３５】
そして、ステップＳ１８では、情報公開装置３０は、公開対象候補ユーザに対する画像の公開可否情報を算出し記録する。ここで、公開可否情報は、前記ステップＳ１６で算出した公開許可情報と、前記ステップＳ１７で算出した公開希望情報とをつき合わせて算出する。この公開可否情報は、図８の公開可否情報列に示す情報である。
具体的には、公開許可情報「あり」で公開希望情報「あり」の場合には、公開可否情報は「公開」なり、公開許可情報「なし」で公開希望情報「なし」の場合には、公開可否情報は「非公開」となる。また、公開許可情報「なし」で公開希望情報「あり」の場合には、このままでは撮影対象ユーザの合意を得ずに公開することになり、公開希望範囲の調整（縮小）が必要であるとして、公開可否情報は「警告」となる。さらに、公開許可情報「あり」で公開希望情報「なし」の場合には、公開希望範囲を調整（拡張）すれば公開可能となるとして、公開可否情報は「情報」となる。
【００３６】
ステップＳ１９では、情報公開装置３０は、前記ステップＳ１５〜Ｓ１８で算出した公開可否判定結果を表示し、ステップＳ２０に移行する。
ステップＳ２０では、情報公開装置３０は、図９に示す調整処理により、公開ユーザの調整入力に基づいて公開範囲の調整を行う。
先ずステップＳ２０１で、情報公開装置３０は、公開ユーザと撮影対象ユーザの双方が合意した適切な公開範囲を設定するために調整が必要な項目（要調整項目）を詳細表示する。ここでは、撮影対象ユーザの公開許可情報と公開ユーザの公開希望情報との差分を、要調整項目として表示する。要調整項目とは、例えば、撮影対象ユーザの公開許可範囲に含まれ且つ公開ユーザの公開希望範囲に含まれないユーザ情報及びグループ情報、撮影対象ユーザの公開許可範囲に含まれず且つ公開ユーザの公開希望範囲に含まれるユーザ情報及びグループ情報、公開ユーザの公開希望範囲に含まれないユーザ・グループを公開許可範囲に含めている撮影対象ユーザの情報である。
【００３７】
次にステップＳ２０２で、情報公開装置３０は、公開ユーザによる調整入力（公開希望範囲や撮影対象（被写体）の調整）を待ち、調整入力を受けたらステップＳ２０３に移行する。
ステップＳ２０３では、情報公開装置３０は、前記ステップＳ２０２で取得した調整入力情報を用いて、図５のステップＳ１５〜Ｓ１８に示す公開可否判定と同様の処理を行い、その結果を表示する。
【００３８】
次にステップＳ２０４で、情報公開装置３０は、まだ要調整項目が残っているか否かを判定する。そして、要調整項目がある場合には前記ステップＳ２０１に移行し、要調整項目がない場合には、開ユーザと撮影対象ユーザの双方が合意した適切な公開範囲を設定できたとして調整処理を終了する。
図５に戻って、情報公開処理３０は、ステップＳ２１で、前記ステップＳ２０の調整処理の結果を受けて、最終的に設定された公開範囲に画像を公開するべく、当該画像をサーバ装置２０に送信する。このとき、画像データに公開範囲を示す情報を重畳し、当該画像データをサーバ装置２０に送信するものとする。
【００３９】
なお、図５において、ステップＳ１〜Ｓ４の処理が公開希望情報取得部３３の処理に対応し、ステップＳ６の処理が撮影対象認識部３１の処理に対応している。また、ステップＳ７〜Ｓ１２の処理が公開許可情報取得部３２の処理に対応し、ステップＳ１３〜Ｓ１８の処理が公開範囲判定部３４の処理に対応している。さらに、ステップＳ１９の処理が表示制御部３５の処理に対応し、ステップＳ２１の処理が公開部３７の処理に対応している。
また、図９において、ステップＳ２０１の処理が表示制御部３５の処理に対応し、ステップＳ２０２の処理が入力情報取得部３６の処理に対応し、ステップＳ２０３の処理が公開範囲判定部３４の処理に対応している。
【００４０】
（第一の実施形態の動作）
次に、第一の実施形態の動作について説明する。
公開ユーザ（ユーザ０）が公開を要求する画像を指定すると、情報公開装置３０は、図５の情報公開処理を開始し、公開ユーザの公開希望情報の取得、撮影対象ユーザの公開許可情報の取得、及び公開範囲の判定（公開可否判定）を行う。このとき、公開ユーザが複数の画像を指定している場合には、各画像について上記処理を行い、結果を表示する。
図１０は、公開可否判定結果を示す一覧表示画面の一例である。この図１０に示すように、例えば、出力画面３００にリスト表示部３１０とサムネイル画像表示部３２０とを設け、リスト表示部３１０に公開ユーザが指定した複数の画像のリスト、サムネイル画像表示部３２０に公開ユーザが指定した複数の画像のサムネイル画像３２１を表示する。また、サムネイル画像表示部３２０においては、公開可否情報が「警告」または「情報」である画像に対し、警告マーク３２２や情報マーク３２３を併せて表示し、公開ユーザに公開範囲の調整が必要な画像が存在することを通知する。
【００４１】
さらに、出力画面３００には、公開ユーザが指定した複数の画像を一括で公開するための一括公開ボタン３２４を設ける。仮に、公開可否判定の結果、すべての画像が公開可能であると判定され、要調整項目が無かったとする。この場合には、公開ユーザが一括公開ボタン３２４を押すことで、情報公開装置３０は公開要求情報を受け、各画像データにそれぞれの公開範囲を示す情報を重畳し、これらをサーバ装置２０に送信する。これにより、公開ユーザが指定した複数の画像が、公開可否判定処理によって設定された公開範囲に属するユーザ及びグループに公開される。
【００４２】
この一覧表示画面から、公開ユーザが、公開可否情報が「警告」であるｉｍａｇｅ００９．ｊｐｇを選択すると、例えば、図１１に示すような詳細画面を表示する。この詳細画面には、各画像についての公開可否判定結果を詳細表示する詳細表示部３３０を設ける。詳細表示部３３０には、リスト一覧から選択した画像を表示する画像表示部３３１と、当該画像の公開可否情報を表示する情報表示部３３２と、公開希望範囲に含まれるユーザ、グループ毎の公開可否判定結果を表示する判定結果表示部３３３と、撮影対象ユーザ毎の公開可否判定結果を表示する判定結果表示部３３４と、当該画像の公開を指示する公開ボタン３３５とを設ける。
【００４３】
この図１１に示すように、選択した画像の撮影対象ユーザがユーザ１、ユーザ２、ユーザ３であり、これら撮影対象ユーザが図７に示す公開許可情報を設定しており、公開ユーザ（ユーザ０）が図６に示す公開希望範囲を設定している場合、情報公開装置３０は、図８に示す公開可否判定結果を得る。そのため、この場合には、情報公開装置３０は、図１１の詳細表示部３３０において図８の公開可否判定結果の内容を表示し、公開ユーザから公開希望範囲及び被写体の調整を受付可能な状態とする。
【００４４】
具体的には、図１１に示すように、「共通の友達」、「共通のグループ」、「ユーザ４」、「ユーザ５」、「ユーザ２」、「ユーザ３」が要調整項目として表示される。要調整項目の判定結果欄には「ＮＧ」や「ＣＨＥＣＫ」などの情報を表示し、要調整項目以外と区別可能な状態とする。
ここで、要調整項目Ａ（共通の友達）及びＤ（ユーザ５）は、図８にも示すように、撮影対象ユーザの公開許可範囲に含まれ、且つ公開ユーザの公開希望範囲に含まれない項目である。また、要調整項目Ｂ（共通のグループ）及びＣ（ユーザ４）は、撮影対象ユーザの公開許可範囲に含まれず、且つ公開ユーザの公開希望範囲に含まれる項目である。さらに、要調整項目Ｅ（ユーザ２）及びＦ（ユーザ３）は、公開ユーザの公開希望範囲に含まれない範囲を公開許可範囲に含めている撮影対象ユーザである。
【００４５】
公開ユーザは、図１１に示す公開可否判定結果を確認し、要調整項目が無くなるように公開希望範囲及び被写体を調整する。
このとき、公開ユーザが、要調整項目Ｃのチェックを外し、公開希望範囲から「ユーザ４」を外したものとする。すると、情報公開装置３０は、この調整入力を受け、縮小した公開希望範囲をもとに再度公開可否判定を行う。そして、情報公開装置３０は、この判定結果を表示する。
図１２は、公開希望範囲縮小後の公開可否判定結果出力画面を示す図である。この図１２に示すように、公開ユーザが公開希望範囲を縮小したことで、要調整項目Ｃの警告表示は消え、ユーザ２（要調整項目Ｅ）の公開可否判定結果はＯＫとなる。
【００４６】
次に、公開ユーザが、要調整項目Ｆのチェックを外すと共に、画像処理を施してユーザ３を画像の被写体（撮影対象ユーザ）から削除したものとする。すると、情報公開装置３０は、この調整入力を受け、調整された撮影対象ユーザ情報をもとに再度公開可否判定を行う。そして、情報公開装置３０は、この判定結果を表示する。
図１３は、被写体調整後の公開可否判定結果出力画面を示す図である。この図１３に示すように、画像表示部３３１には、画像処理後の画像、例えば、ユーザ３の撮影領域を切り取って削除するトリミング処理Ｔが施された画像が表示される。また、公開ユーザが撮影対象ユーザを限定したことで、要調整項目Ｂの警告表示が消え、ユーザ３（要調整項目Ｆ）の公開可否判定結果がＯＫとなる。さらに、残った要調整項目は、公開可否情報が「情報」である項目（図１１のＡ及びＤ）のみであるため、情報表示部３３２に表示される公開可否情報も警告内容から情報内容に変化する。
なお、上記画像処理として、トリミング処理を行う場合について説明したが、モザイク処理やぼかし処理、スタンプやイラストを追加する処理等の編集処理を用いることもできる。また、上記画像処理は、公開ユーザが直接行ってもよいし、公開ユーザからの撮影対象ユーザを削除する調整入力をもとに情報公開装置３０が行ってもよい。
【００４７】
次に、公開ユーザが要調整項目Ａのチェックを追加し、公開希望範囲に「共通の友達」を追加したものとする。すると、情報公開装置３０は、この調整入力を受け、拡張した公開希望範囲をもとに再度公開可否判定を行う。そして、情報公開装置３０は、この判定結果を表示する。
図１４は、公開希望範囲拡張後の公開可否判定結果出力画面を示す図である。この図１４に示すように、公開ユーザが公開希望範囲を拡張したことで、要調整項目Ａ及びＤの情報表示は消え、共通の友達であるユーザ５が公開対象として追加される。
【００４８】
そして、図１４に示すように要調整項目が無くなり、公開ユーザが公開ボタン３３５を押すと、情報公開装置３０は、この公開要求情報を受け、画像データに公開範囲を示す情報を重畳し、当該画像データをサーバ装置２０に送信する。これにより、図１４に示すトリミング編集後の画像が、最終的な公開範囲に属するユーザ及びグループ（ユーザ１、ユーザ２、ユーザ５、グループ１）に公開される。
別の例として、公開ユーザが撮影対象ユーザを公開希望範囲に含めていない場合について説明する。この場合、公開可否情報は「情報」となり、公開可否判定結果の詳細表示画面は、例えば図１５に示すようになる。すなわち、図１５に示すように、撮影対象ユーザの公開許可範囲に含まれる項目が要調整項目として表示される。
【００４９】
図１５に示す状態から、公開ユーザが設定切替部３３６を操作し、図１６に示すように、公開希望情報の設定モードを自動設定モードに切り替えたものとする。すると、情報公開装置３０は、この調整入力を受け、撮影対象ユーザの公開許可範囲から公開ユーザの公開希望範囲を自動設定し、その結果を表示する。
この図１６では、撮影対象ユーザ（ユーザ４、ユーザ５、ユーザ６）の公開許可範囲から、撮影対象ユーザすべての意向に沿った公開範囲が、撮影対象ユーザ及び共通の友達である場合を示している。
仮に、情報公開装置３０が撮影対象ユーザの公開許可範囲から公開ユーザの公開希望範囲を自動設定したときに、適合する公開範囲が無かった場合には、図１７に示すように警告情報を表示する。
【００５０】
（第一の実施形態の効果）
以上のように、本実施形態では、画像に撮影されている撮影対象ユーザの公開許可範囲と公開ユーザの公開希望範囲とをそれぞれ取得し、取得した公開許可範囲と公開希望範囲とを照合して公開範囲を判定する。このように、撮影対象ユーザ（被写体）と公開ユーザ（公開要求者）のそれぞれが公開してもよい（公開したい）と思っている公開対象候補のグループ同士を照合するので、撮影対象ユーザと公開ユーザの双方が合意した公開範囲を判定することができる。また、撮影対象ユーザが公開許可し、公開ユーザが公開希望していない人物や、撮影対象ユーザが公開拒否し、公開ユーザが公開希望している人物も把握することができる。
【００５１】
また、公開許可範囲と公開希望範囲との共通範囲を公開範囲として判定するので、撮影対象ユーザが画像公開を許可していない人物に画像が公開されるのを確実に防止することができる。
さらに、撮影対象ユーザの公開許可範囲を取得するので、何度も撮影対象ユーザの公開可否意向を問い合わせる必要がない。また、予めサーバ装置２０に設定登録された公開許可範囲を取得するようにすることで、公開ユーザが画像の公開を要求するたびに撮影対象ユーザが公開可否を返答する必要もない。したがって、簡易に公開範囲の判定を行うことができる。
【００５２】
さらに、情報公開装置３０は、公開範囲判定結果を公開ユーザに通知し、公開範囲の調整（公開希望範囲や被写体の調整）の機会を与えるので、公開ユーザは範囲設定の妥協点を探った上で画像を公開することができる。
具体的には、情報公開装置３０は、撮影対象ユーザの公開許可範囲に含まれ、且つ公開ユーザの公開希望範囲に含まれない範囲に属する人物について、例えば公開希望要否を通知する。これにより、公開ユーザは公開希望範囲の拡張を検討することができる。すなわち、公開ユーザが当初公開を希望していない人物に対しても、撮影対象ユーザの意向を反映して公開希望するようにすれば、公開ユーザと撮影対象ユーザの双方が合意した形で画像公開することができる。このように、公開希望範囲が狭すぎることによる公開不許可を極力少なくすることができ、公開ユーザはより多くの画像を公開する機会を得る。
【００５３】
さらに、情報公開装置３０は、撮影対象ユーザの公開許可範囲に含まれず、且つ公開ユーザの公開希望範囲に含まれる範囲に属する人物について、例えば公開希望要否を通知する。これにより、公開ユーザは公開希望範囲の縮小を検討することができる。すなわち、公開ユーザが当初公開を希望していた人物に対して、撮影対象ユーザの意向を反映して公開希望しないようにすれば、公開ユーザと撮影対象ユーザの双方が合意した形で画像公開することができる。このように、公開希望範囲が広すぎることによる公開不許可を極力少なくすることができる。
【００５４】
また、情報公開装置３０は、撮影対象ユーザのうち、公開ユーザの公開希望範囲に含まれない範囲を公開許可範囲に含めている人物について、例えば公開希望要否を通知する。これにより、公開ユーザは、被写体の縮小を検討することができる。すなわち、公開ユーザの公開希望範囲と適合しない公開許可範囲を設定している撮影対象ユーザを被写体から削除する（画像処理する）ようにすれば、公開に合意した撮影対象ユーザのみが撮影された状態で画像公開することができる。このように、公開ユーザはより多くの画像を公開する機会を得る。
【００５５】
さらにまた、情報公開装置３０は、公開ユーザの公開希望範囲に含まれない撮影対象ユーザについて、例えば公開希望要否を通知する。これにより、公開ユーザは公開希望範囲の拡張を検討することができる。すなわち、公開ユーザが当初公開を希望していない撮影対象ユーザに対して公開希望するようにすれば、撮影対象ユーザは自身が撮影された画像の公開を確認することができる。
【００５６】
このように、公開ユーザの公開希望範囲と撮影対象ユーザの公開許可範囲との差分があった場合には、その差分情報を画面上で強調表示するなどにより公開ユーザに通知し、公開範囲の調整を可能とする。そのため、公開ユーザは範囲設定の妥協点を探った上で画像を公開することができる。また、差分情報を詳細に通知することで、冗長な調整を省略でき、時間の節約につながる。
また、情報公開装置３０は、公開ユーザが公開を要求する画像中に複数人の撮影対象ユーザが存在する場合には、撮影対象ユーザ各々についての公開許可範囲を取得する。そのため、どの撮影対象ユーザの公開許可範囲が公開希望範囲と適合しないか等を詳細に把握することができる。したがって、適切に公開範囲を調整することができる。
【００５７】
（応用例）
上記第一の実施形態においては、情報公開装置３０をＰＣとし、撮影後の画像に対して公開可否判定を行い、判定結果を表示する場合について説明したが、ライブビューで判定結果を表示しても良い。すなわち、デジタルカメラ等、撮影素子からの画像データを、例えばリアルタイムに表示するライブビュー機能を有する撮像装置に上述した情報公開装置３０を搭載するようにしてもよい。この場合、画像を撮影する前に公開可否判定を行い、撮影装置のライブビュー上で判定結果を表示する。
【００５８】
図１８は、撮像装置のライブビューで判定結果を表示した例である。図１８に示すように、ライブビュー画面４００において、撮影対象ユーザとしてユーザ１、ユーザ２、ユーザ３が認識されており、そのうちユーザ２及びユーザ３に対して警告があるものとする。この場合には、撮影対象ユーザ毎に判定結果（公開許可範囲に含まれず、且つ公開希望範囲に含まれるユーザやグループの情報）を重畳表示すると共に（判定結果表示４０１，４０２）、警告内容を表示する（警告内容表示４０３）。
このように、ライブビューで公開可否判定結果を表示するので、撮影者は、公開範囲を把握しながら撮影することができる。例えば、公開範囲が公開希望範囲に適合するように被写体を調整しながら撮影することができる。
【００５９】
（第二の実施形態）
次に、本発明の第二の実施形態について説明する。
この第二の実施形態は、上述した第一の実施形態において、公開ユーザが利用する端末装置で公開可否判定を行っているのに対し、ネットワーク上のサーバ装置等で公開可否判定を行い、判定結果を公開ユーザが利用する端末装置に表示するようにしたものである。
図１９は、第二の実施形態における画像公開システムの一例を示すシステム構成図である。
【００６０】
画像公開システム１０は、情報公開装置（情報処理装置）１３０と、情報機器６０と、端末装置４０Ａ〜４０Ｃとを備える。情報公開装置１３０、情報機器６０、端末装置４０Ａ〜４０Ｃは、ネットワーク５０によって接続されている。この図１９では、図１に示すシステム構成図と同一構成を有する部分に同一符号を付し、以下、構成の異なる部分を中心に説明する。
情報公開装置１３０は、上述した第一の実施形態のサーバ装置２０の機能を有し、画像公開サービスを提供する。情報公開装置１３０は、サービス利用者の公開許可情報を登録、保持している。
【００６１】
また、情報公開装置１３０は、公開ユーザからの要求に応じて、公開ユーザが指定した画像の公開可否判定と公開処理とを行う。このように、情報公開装置１３０は、公開可否判定を行う情報処理装置を搭載している。
情報機器６０は、公開ユーザが使用する端末装置であり、情報公開装置１３０に対して画像の公開可否判定を要求し、判定結果を表示する。情報機器６０は、例えばスマートフォンなど、通信機能を有する端末である。
図２０は、情報公開装置１３０及び情報機器６０のブロック構成図である。
情報機器６０は、判定要求部６１と、表示制御部６２とを備える。
判定要求部６１は、公開ユーザの公開希望情報と公開可否判定要求とを、情報公開装置１３０に送信する。また、判定要求部６１は、公開ユーザが公開を要求する画像のデータを、情報公開装置１３０に送信する。
【００６２】
表示制御部６２は、情報公開装置３０から公開可否判定の結果を受信し、情報機器６０の表示部（ディスプレイ）に表示する。
情報公開装置１３０は、撮影対象認識部１３１と、公開許可情報取得部１３２と、公開希望情報取得部１３３と、公開範囲判定部１３４と、入力情報取得部１３６と、公開部１３７とを備える。また、情報公開装置１３０は、判定要求受信部１３８をさらに備える。
情報公開装置１３０の各部１３１，１３２，１３３，１３４，１３４ａ，１３６及び１３７は、図２に示す情報公開装置３０の各部３１，３２，３３，３４，３４ａ，３６及び３７と同等の機能を有する。
【００６３】
判定要求受信部１３８は、情報機器６０の判定要求部６１が送信する公開希望情報、公開可否判定要求及び画像データを受信し、受信した公開希望情報を公開希望情報取得部１３３へ、受信した公開可否判定要求と画像データとを撮影対象認識部１３１へ送信する。
撮影対象認識部１３１は、判定要求受信部１３８からの公開可否判定要求と画像データとを受け取ると、当該画像から撮影対象ユーザの認識処理を行う。
【００６４】
公開希望情報取得部１３３は、判定要求受信部１３８からの公開希望情報を受け取り、記憶する。
公開範囲判定部１３４は、公開許可情報取得部１３２で取得した公開許可情報と、公開希望情報取得部１３３で取得した公開希望情報とを用いて公開範囲を判定し、その結果を情報機器６０の表示制御部６２に出力する。
入力情報取得部１３６は、情報機器６０の表示制御部６２で表示部に表示された判定結果を受けて公開ユーザが入力した公開範囲を調整するための情報（公開希望範囲の調整、被写体の調整）を受信し、これを公開範囲判定部１３４の調整部１３４ａに受け渡す。すなわち、情報機器６０は、上記調整入力情報の送信部を備える。この調整入力は、例えば、表示制御部６２によってタッチパネルに表示された画面に対して指やタッチペン等を用いて行われる。調整部１３４ａは、入力情報取得部１３６からの調整入力を受けたとき、当該調整入力に基づいて公開範囲を判定し直し、その結果を情報機器６０の表示制御部６２に出力する。
【００６５】
また、入力情報取得部１３６は、情報機器６０の表示制御部６２で表示部に表示された判定結果を受けて公開ユーザが入力した公開意思情報を取得し、これを公開範囲判定部１３４に受け渡す。このとき、公開範囲判定部１３４は、公開部１３７に当該公開意思情報と、最終的な公開範囲を示す情報とを出力する。
公開部１３７は、上記公開意思情報を入力すると、公開範囲判定部１３４が判定した最終的な公開範囲に対して画像を公開する。
【００６６】
（第二の実施形態の動作）
次に、第二の実施形態の動作について説明する。
公開ユーザが、自身が操作するスマートフォン等、撮影機能を有する情報機器６０によって被写体を撮影し、情報公開装置１３０へ撮影画像データと共に公開可否判定要求を送信したものとする。すると、情報公開装置１３０は、情報機器６０から送信された公開可否判定要求を受信し、公開ユーザが公開を要求する画像に対して公開可否判定を行う。そして、情報公開装置１３０は、その判定結果を情報機器６０に送信する。
【００６７】
情報機器６０は、情報公開装置１３０から送信された公開可否判定結果を受信し、これをディスプレイに表示する。公開ユーザは、表示された公開可否判定結果に基づいて公開範囲を調整し、その調整入力情報を情報公開装置１３０へ送信する。情報公開装置１３０は、情報機器６０から送信された調整入力情報をもとに再度公開可否判定を行い、その結果情報機器６０に送信する。
上記の調整処理を、公開範囲の調整が必要なくなるまで繰り返し、公開ユーザが公開意思を入力すると、情報機器６０は公開ユーザの公開意思情報を情報公開装置１３０に送信する。情報公開装置１３０は、情報機器６０から送信された公開意思情報を受信すると、公開ユーザが公開を要求している画像を調整後の公開範囲に公開する。
【００６８】
（第二の実施形態の効果）
以上のように、第二の実施形態では、公開ユーザが操作する情報機器６０からネットワーク上の情報公開装置１３０に対して公開可否判定要求を送信し、これを受けた情報公開装置１３０が公開可否判定を行い、判定結果を公開ユーザの情報機器６０へ返すようにする。このように、ネットワーク上に情報公開装置１３０を設置することで、サービス利用者の端末装置に情報公開装置を搭載する必要がなく、サービス利用者は誰でも画像の公開可否判定を行うことができる。
なお、第二の実施形態において、情報公開装置１３０が画像公開サービスを提供する機能を有する場合について説明したが、この画像公開機能は、情報公開装置１３０と通信可能に接続されたネットワーク上の別のサーバ装置が備えていてもよい。
【００６９】
（ハードウェア構成）
図２１は、上記各実施形態における情報処理装置のハードウェア構成の一例である。
上述した公開可否判定を行う情報処理装置１０００は、ＣＰＵ１００１と、ＲＯＭ１００２と、ＲＡＭ１００３と、外部メモリ１００４と、入力部１００５と、表示部１００６と、通信Ｉ／Ｆ１００７と、システムバス１００８とを備える。
ＣＰＵ１００１は、情報処理装置１０００における動作を統括的に制御するものであり、システムバス１００８を介して、各構成部（１００２〜１００７）を制御する。
【００７０】
ＲＯＭ１００２は、ＣＰＵ１００１が処理を実行するために必要な制御プログラム等を記憶する不揮発性メモリである。なお、当該プログラムは、外部メモリ１００４や着脱可能な記憶媒体（不図示）に記憶されていてもよい。
ＲＡＭ１００３は、ＣＰＵ１００１の主メモリ、ワークエリア等として機能する。すなわち、ＣＰＵ１００１は、処理の実行に際してＲＯＭ１００２から必要なプログラム等をＲＡＭ１００３にロードし、当該プログラム等を実行することで各種の機能動作を実現する。
【００７１】
外部メモリ１００４は、例えば、ＣＰＵ１００１がプログラムを用いた処理を行う際に必要な各種データや各種情報等を記憶している。また、外部メモリ１００４には、例えば、ＣＰＵ１００１がプログラム等を用いた処理を行うことにより得られた各種データや各種情報等が記憶される。
入力部１００５は、キーボードやマウス等のポインティングデバイスで構成され、映像表示装置１０００のユーザは、入力部１００５を介して当該情報処理装置１０００に指示を与えることができるようになっている。
【００７２】
表示部１００６は、液晶ディスプレイ（ＬＣＤ）等のモニタで構成される。
通信Ｉ／Ｆ１００７は、外部装置と通信するためのインターフェースである。
システムバス１００８は、ＣＰＵ１００１、ＲＯＭ１００２、ＲＡＭ１００３、外部メモリ１００４、入力部１００５、表示部１００６及び通信Ｉ／Ｆ１００７を通信可能に接続する。
情報処理装置１０００は、公開ユーザが操作する端末装置（ＰＣ等）に搭載されていてもよいし、ネットワーク上のサーバ装置に搭載されていてもよい。さらに、情報処理装置１０００は、公開ユーザが操作する撮像装置（デジタルカメラ等）に搭載されていてもよい。
【００７３】
図２に示す情報公開装置３０の各部の機能や、図２０に示す情報公開装置１３０の各部の機能は、ＣＰＵ１００１がＲＯＭ１００２に記憶されたプログラムを実行することで実現される。
なお、上記の情報処理装置を、ライブビュー機能を有する撮像装置に搭載した場合には、ハードウェア構成として、撮像素子を含んで構成され、被写体からの光をデジタル電気信号に変換する撮像部が追加される。また、上記の情報処理装置をサーバ装置に搭載した場合には、表示部１００６は省略可能である。
【００７４】
（その他の実施形態）
以上、実施形態例を詳述したが、本発明は、例えば、システム、装置、方法、プログラムもしくは記憶媒体等としての実施態様をとることが可能である。具体的には、複数の機器（例えば、ホストコンピュータ、インターフェース機器、撮像装置、ｗｅｂアプリケーション等）から構成されるシステムに適用してもよいし、一つの機器からなる装置に適用してもよい。
また、上述の実施形態においては、被写体自身が画像の公開許可範囲を設定する場合について説明したが、これに限定されるものではない。例えば被写体がペットである場合には、ペットの飼い主が公開許可範囲を設定するようにしてもよい。また、例えば被写体が子供である場合には、子供の保護者（親など）が公開許可範囲を設定するようにしてもよい。さらに、例えば被写体がモノである場合には、当該モノの所有者が公開許可範囲を設定するようにしてもよい。
【００７５】
このようにすることで、被写体自身が画像の公開許可範囲を設定しなくとも、被写体に関連付けられた画像の公開許可範囲を設定することができる。
また、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
本発明は、上述した１つ乃至複数のうちのいくつかの効果を有する。
【符号の説明】
【００７６】
１０…画像公開システム、２０…サーバ装置、３０…情報公開装置、４０Ａ〜４０Ｃ…端末装置、３１…撮影対象認識部、３２…公開許可情報取得部、３３…公開希望情報取得部、３４…公開範囲判定部、３４ａ…調整部、３５…表示制御部、３６…入力情報取得部、３７…公開部、６０…情報機器、６１…判定要求部、６２…表示制御部、１３０…情報公開装置、１３１…撮影対象認識部、１３２…公開許可情報取得部、１３３…公開希望情報取得部、１３４…公開範囲判定部、１３４ａ…調整部、１３６…入力情報取得部、１３７…公開部、１３８…判定要求受信部
【図１】
2016066121.tif 000003
【図２】
2016066121.tif 000004
【図３】
2016066121.tif 000005
【図４】
2016066121.tif 000006
【図５】
2016066121.tif 000007
【図６】
2016066121.tif 000008
【図７】
2016066121.tif 000009
【図８】
2016066121.tif 000010
【図９】
2016066121.tif 000011
【図１０】
2016066121.tif 000012
【図１１】
2016066121.tif 000013
【図１２】
2016066121.tif 000014
【図１３】
2016066121.tif 000015
【図１４】
2016066121.tif 000016
【図１５】
2016066121.tif 000017
【図１６】
2016066121.tif 000018
【図１７】
2016066121.tif 000019
【図１８】
2016066121.tif 000020
【図１９】
2016066121.tif 000021
【図２０】
2016066121.tif 000022
【図２１】
2016066121.tif 000023